(57)【要約】      （修正有）【課題】製品品質を低下させることなく、短時間で容易に接着することが可能であり、ファスニングテープの機能を低下させることのない、使い捨ておむつのファスニングテープの製造方法。【解決手段】  長尺基材シートの一方の面の長手方向中央領域に長尺面ファスナーのフック部材を張合わせて積層シート連続体を形成する工程、積層シート連続体を、規則的に蛇行する１本の連続する波状曲線に沿って切断し、波状の凸部と凹部を有するファスニングテープ連続体形成工程、凸部を、フック部材を内側にして基材シート上に折り曲げる工程、凸部を折り曲げた面と同じ面の長手方向側縁部に沿って第１粘着剤を連続塗布し、折り曲げた凸部と第１粘着剤との間に第２粘着剤を連続塗布する粘着剤塗布工程、凹部と長手方向側縁部との間において、ファスニングテープ連続体を幅方向に切断して個々のファスニングテープを形成する工程、を含むファスニングテープの製造方法。【選択図】  図１
2005312707.tif 000002
【特許請求の範囲】
【請求項１】
長尺の基材シートの一方の面の長手方向中央領域に沿って所定幅の長尺の面ファスナーのフック部材を張合わせて積層シート連続体を形成する工程、
前記積層シート連続体を、波状曲線の湾曲部が前記長尺のフック部材の両側縁外側の前記基材シート上に位置するように規則的に蛇行する、１本の連続する波状曲線に沿って切断し、波状の凸部と凹部を有するファスニングテープ連続体を形成する工程、
前記ファスニングテープ連続体の前記凸部を、前記フック部材を内側にして基材シート上に折り曲げる工程、
前記ファスニングテープ連続体の、前記凸部を折り曲げた面と同じ面の長手方向側縁部に沿って第１粘着剤を連続塗布し、前記折り曲げた凸部と前記第１粘着剤との間に第２粘着剤を連続塗布する粘着剤塗布工程、
前記ファスニングテープ連続体の前記凹部と長手方向側縁部との間において、前記ファスニングテープ連続体を幅方向に切断して個々のファスニングテープを形成する工程、を含むことを特徴とするファスニングテープの製造方法。
【請求項２】
前記積層シート連続体を形成する工程において、前記長尺のフック部材を前記長尺の基材シートに張合わせた後に、前記フック部材の両側縁をヒートシール処理して前記基材シートに張合わせる工程を含むことを特徴とする請求項１記載のファスニングテープの製造方法。
【請求項３】
前記ファスニングテープ連続体を形成する工程の前に、前記長尺の基材シートの前記フック部材を張合わせた面とは反対側の面に、前記フック部材と係合可能な長尺のターゲットシートを張合わせる工程を含むことを特徴とする請求項１又は請求項２に記載のファスニングテープの製造方法。
【請求項４】
前記凸部を折り曲げる工程の前に、前記凸部を折り曲げた際に前記フック部材が対面する前記基材シート上の部分に、長手方向に沿って第３粘着剤を連続塗布する工程を含むことを特徴とする請求項１〜請求項３のいずれか１項に記載のファスニングテープの製造方法。
【請求項５】
前記凸部を折り曲げる工程の後に、折り曲げた前記凸部の前記フック部材の背面部をエンボス加工処理及び／又はヒートシール処理する工程を含むことを特徴とする請求項１〜請求項３のいずれか１項に記載のファスニングテープの製造方法。
【請求項６】
前記粘着剤塗布工程において、折り曲げた前記凸部の前記フック部材の背面部に第４粘着剤を塗布する工程を含むことを特徴とする請求項１〜請求項５のいずれか１項に記載のファスニングテープの製造方法。
【請求項７】
請求項１〜請求項６のいずれかに記載の方法によって製造したファスニングテープを、液透過性のトップシートと、液不透過性のバックシートと、これら両シートの間に配置した吸収体とを有するおむつ本体に取付ける使い捨ておむつの製造方法において、
前記ファスニングテープの前記折り曲げた凸部がおむつ本体側に面すると共におむつ本体の内側に位置し、さらに、前記第１粘着剤を塗布した部分がおむつ本体から延出した状態で、前記ファスニングテープをおむつ本体の後身頃の側縁部において前記トップシート上に配置する工程、
前記ファスニングテープを、少なくとも前記第２粘着剤により、前記トップシート上に仮止めする工程、
前記ファスニングテープの前記おむつ本体から延出した前記第１粘着剤を塗布した部分を、前記第１粘着剤を内側にしておむつ本体のバックシート側に折り曲げ、前記第１粘着剤により前記ファスニングテープをおむつ本体に接着固定する工程、を含むことを特徴とする使い捨ておむつの製造方法。
【請求項８】
前記ファスニングテープを前記トップシート上に配置する工程において、前記ファスニングテープは、前記折り曲げた凸部のフック部材が、前記第３粘着剤により前記基材シート上に仮止めされた状態で配置されることを特徴とする請求項７記載の使い捨ておむつの製造方法。
【請求項９】
前記ファスニングテープを前記トップシート上に仮止めする工程において、前記ファスニングテープは、さらに、前記折り曲げた凸部の両側縁から延出する前記第３粘着剤により前記トップシート上に仮止めされていることを特徴とする請求項７又は請求項８に記載の使い捨ておむつの製造方法。
【請求項１０】
前記ファスニングテープを前記トップシート上に配置する工程において、前記ファスニングテープは、前記折り曲げた凸部のフック部材が、前記エンボス加工処理及び／又はヒートシール処理により前記基材シート上に仮止めされた状態で配置されることを特徴とする請求項７記載の使い捨ておむつの製造方法。
【請求項１１】
前記ファスニングテープを前記トップシート上に仮止めする工程において、前記ファスニングテープは、さらに、前記折り曲げた凸部の前記フック部材の背面部に塗布された前記第４粘着剤により前記トップシート上に仮止めされていることを特徴とする請求項７〜請求項１０のいずれか１項に記載の使い捨ておむつの製造方法。
【請求項１２】
前記ファスニングテープを前記おむつ本体に接着固定する工程において、前記ファスニングテープは、前記トップシートと前記バックシートの間において、少なくとも前記トップシートに接着固定されていることを特徴とする請求項７〜請求項１１のいずれか１項に記載の使い捨ておむつの製造方法。
【請求項１３】
前記ファスニングテープは、前記トップシートと前記バックシートの間において、前記トップシートに接着固定されると共に前記バックシートにも接着されていることを特徴とする請求項１２記載の使い捨ておむつの製造方法。
【発明の詳細な説明】
【技術分野】
【０００１】
本発明は、機械的ファスナーのフック材を有するファスニングテープの製造方法及びこのファスニングテープを用いた展開型の使い捨ておむつの製造方法に関するものである。
【背景技術】
【０００２】
使い捨ておむつは、液透過性のトップシートと、液不透過性のバックシートと、これら両シートの間に配置された吸収体から基本的に形成されており、着用時に排泄された尿等の排泄物を液透過性のトップシートを介して吸収体に保持し、液不透過性のバックシートにより、排泄物がおむつの外に漏れ出すのを防ぐ構造になっており、その用途に応じて好適に使用できるように展開型、パンツ型等、様々な形態のものが提案されており、乳幼児を始めとして成人失禁者まで広く使用されている。
【０００３】
展開型の使い捨ておむつは、一般に、後身頃の左右両側縁部にファスニングテープを配置し、前身頃のバックシート表面にファスニングテープを着脱可能に係合するためのフロントテープからなるターゲットゾーンを配置し、ファスニングテープをフロントテープに接合することにより、おむつを着用者に装着するようになっている。このような展開型の使い捨ておむつのファスニングテープは、通常、左右に１個ずつ、又は複数個ずつ取り付けられており、前者は新生児用、乳幼児用の使い捨ておむつに多く、後者は大人用の使い捨ておむつに多く見られる。
【０００４】
また、この様なファスニングテープとフロントテープの組合せとしては、粘着剤層を有するファスニングテープと各種フィルムからなるフロントテープを組合せたもの、及び、機械的ファスナーのフック材を有するファスニングテープとフック材を係合可能なループ材からなるフロントテープを組合せたものが知られている。しかしながら、粘着剤を用いたファスニングテープは、おむつ装着時に、誤ってファスニングテープをフロントテープ以外の場所に接着させた場合や、粘着剤層の面に汚れが付着した場合には、テープの接着力が低下し、再使用できなくなるという問題点を有している。そのため、最近では、フック材を有するファスニングテープが主流になっている。
【０００５】
フック材を有するファスニングテープの製造方法としては、長尺の基材シートの一面の長手方向中央部に長尺のフック材を配置し、これを規則的に蛇行する１本の曲線に沿って切断してファスニングテープシートを形成し、さらにファスニングテープシートを幅方向に切断して個々のファスニングテープを製造する方法（特許文献１、特許文献２）、あるいは、このようにして形成したファスニングテープシートを任意の間隔で切断して、複数のフック材を有する広幅のファスニングテープを製造する方法（特許文献３）等が開示されている。
【０００６】
しかしながら、これらの方法で製造されたファスニングテープは、続く使い捨ておむつの製造工程において、製造したファスニングテープをそのままの状態で、あるいは、フック材を基材シート上に仮止めした状態で使い捨ておむつの側縁部に取付けられており、ファスニングテープがおむつの側縁部から延出しているため、そのままにしておくと、その後の製造工程でファスニングテープが製造設備にひっかかり、円滑な製造ができなくなるという問題を有している。
【０００７】
上記のような問題点を改善するために、使い捨ておむつを製造する際に、フック材を使い捨ておむつのトップシートに係合してファスニングテープをおむつ本体上に仮止めする使い捨ておむつの製造方法（特許文献４）が開示されている。
【０００８】
しかしながら、このような仮止め方法は、ファスニングテープのフック材を直接おむつ本体の不織布からなるトップシートに係合して仮止めしているため、フック材を外す際にトップシートを傷付けたり破いたりして製品品質を低下させる場合があった。
また、大人用の使い捨ておむつのように大型のおむつの場合には、おむつの装着性を良好にするために大型のファスニングテープを取付ける必要があるが、上記のような仮止め方法では、フック材の部分がおむつの中心部付近に位置するようになり、おむつ装着時にフック材の部分が着用者の臀部に隠れてしまい、ファスニングテープが引き出し難くなり、おむつの装着に時間がかかるため、特に着用者が身体の不自由な大人の場合には、介護者にとっておむつの装着は大きな負担になっていた。
【０００９】
さらに、製品おむつを包装袋に包装する場合、おむつを折り畳んで包装されるが、上記のような仮止め方法では、おむつを折り畳む際にフック材の部分で折り畳まれてしまい、おむつを装着する際にファスニングテープがうまく機能しない場合があった。
【特許文献１】特開平１１−１８１３７１号公報
【特許文献２】特開平１１−１８１３７２号公報
【特許文献３】特開２００２−４５２１４号公報
【特許文献４】特開２００３−１５３９４９号公報
【発明の開示】
【発明が解決しようとする課題】
【００１０】
本発明は、上記従来のフック材を有するファスニングテープを取付けた使い捨ておむつの製造方法の有する問題点を克服し、製品品質を低下させることなく、短時間で容易に装着することが可能であり、ファスニングテープの機能を低下させることのないファスニングテープの製造方法、及び使い捨ておむつの製造方法を提供するものである。
【課題を解決するための手段】
【００１１】
上記従来の使い捨ておむつの有する問題点を解決するための本発明は、以下の各発明を包含する。
【００１２】
（１）長尺の基材シートの一方の面の長手方向中央領域に沿って所定幅の長尺の面ファスナーのフック部材を張合わせて積層シート連続体を形成する工程、
前記積層シート連続体を、波状曲線の湾曲部が前記長尺のフック部材の両側縁外側の前記基材シート上に位置するように規則的に蛇行する、１本の連続する波状曲線に沿って切断し、波状の凸部と凹部を有するファスニングテープ連続体を形成する工程、
前記ファスニングテープ連続体の前記凸部を、前記フック部材を内側にして基材シート上に折り曲げる工程、
前記ファスニングテープ連続体の、前記凸部を折り曲げた面と同じ面の長手方向側縁部に沿って第１粘着剤を連続塗布し、前記折り曲げた凸部と前記第１粘着剤との間に第２粘着剤を連続塗布する粘着剤塗布工程、
前記ファスニングテープ連続体の前記凹部と長手方向側縁部との間において、前記ファスニングテープ連続体を幅方向に切断して個々のファスニングテープを形成する工程、を含むことを特徴とするファスニングテープの製造方法。
【００１３】
（２）前記積層シート連続体を形成する工程において、前記長尺のフック部材を前記長尺の基材シートに張合わせた後に、前記フック部材の両側縁をヒートシール処理して前記基材シートに張合わせる工程を含むことを特徴とする（１）項記載のファスニングテープの製造方法。
【００１４】
（３）前記ファスニングテープ連続体を形成する工程の前に、前記長尺の基材シートの前記フック部材を張合わせた面とは反対側の面に、前記フック部材と係合可能な長尺のターゲットシートを張合わせる工程を含むことを特徴とする（１）項又は（２）項に記載のファスニングテープの製造方法。
【００１５】
（４）前記凸部を折り曲げる工程の前に、前記凸部を折り曲げた際に前記フック部材が対面する前記基材シート上の部分に、長手方向に沿って第３粘着剤を連続塗布する工程を含むことを特徴とする（１）項〜（３）項のいずれか１項に記載のファスニングテープの製造方法。
【００１６】
（５）前記凸部を折り曲げる工程の後に、折り曲げた前記凸部の前記フック部材の背面部をエンボス加工処理及び／又はヒートシール処理する工程を含むことを特徴とする（１）項〜（３）項のいずれか１項に記載のファスニングテープの製造方法。
【００１７】
（６）前記粘着剤塗布工程において、折り曲げた前記凸部の前記フック部材の背面部に第４粘着剤を塗布する工程を含むことを特徴とする（１）項〜（５）項のいずれか１項に記載のファスニングテープの製造方法。
【００１８】
（７）前記（１）項〜（６）項のいずれかに記載の方法によって製造したファスニングテープを、液透過性のトップシートと、液不透過性のバックシートと、これら両シートの間に配置した吸収体とを有するおむつ本体に取付ける使い捨ておむつの製造方法において、
前記ファスニングテープの前記折り曲げた凸部がおむつ本体側に面すると共におむつ本体の内側に位置し、さらに、前記第１粘着剤を塗布した部分がおむつ本体から延出した状態で、前記ファスニングテープをおむつ本体の後身頃の側縁部において前記トップシート上に配置する工程、
前記ファスニングテープを、少なくとも前記第２粘着剤により、前記トップシート上に仮止めする工程、
前記ファスニングテープの前記おむつ本体から延出した前記第１粘着剤を塗布した部分を、前記第１粘着剤を内側にしておむつ本体のバックシート上に折り曲げ、前記第１粘着剤により前記ファスニングテープをおむつ本体に接着固定する工程、を含むことを特徴とする使い捨ておむつの製造方法。
【００１９】
（８）前記ファスニングテープを前記トップシート上に配置する工程において、前記ファスニングテープは、前記折り曲げた凸部のフック部材が、前記第３粘着剤により前記基材シート上に仮止めされた状態で配置されることを特徴とする（７）項記載の使い捨ておむつの製造方法。
【００２０】
（９）前記ファスニングテープを前記トップシート上に仮止めする工程において、前記ファスニングテープは、さらに、前記折り曲げた凸部の両側縁から延出する前記第３粘着剤により前記トップシート上に仮止めされていることを特徴とする（７）項又は（８）項に記載の使い捨ておむつの製造方法。
【００２１】
（１０）前記ファスニングテープを前記トップシート上に配置する工程において、前記ファスニングテープは、前記折り曲げた凸部のフック部材が、前記エンボス加工処理及び／又はヒートシール処理により前記基材シート上に仮止めされた状態で配置されることを特徴とする（７）項記載の使い捨ておむつの製造方法。
【００２２】
（１１）前記ファスニングテープを前記トップシート上に仮止めする工程において、前記ファスニングテープは、さらに、前記折り曲げた凸部の前記フック部材の背面部に塗布された前記第４粘着剤により前記トップシート上に仮止めされていることを特徴とする（７）項〜（１０）項のいずれか１項に記載の使い捨ておむつの製造方法。
【００２３】
（１２）前記ファスニングテープを前記おむつ本体に接着固定する工程において、前記ファスニングテープは、前記トップシートと前記バックシートの間において、少なくとも前記トップシートに接着固定されていることを特徴とする（７）項〜（１１）項のいずれか１項に記載の使い捨ておむつの製造方法。
【００２４】
（１３）前記ファスニングテープは、前記トップシートと前記バックシートの間において、前記トップシートに接着固定されると共に前記バックシートにも接着されていることを特徴とする（１２）項記載の使い捨ておむつの製造方法。
【発明の効果】
【００２５】
本発明のファスニングテープの製造方法は、長尺の基材シートの一面の長手方向中央部に長尺のフック材を配置し、これを規則的に蛇行する１本の曲線に沿って切断して波状の凸部と凹部を有するファスニングテープ連続体を形成し、該連続体の凸部をフック材を内側にして基材シート上に折返し、連続体の長手方向側縁部に沿ってファスニングテープをおむつ本体に接着固定するための第１粘着剤を塗布すると共に、折返した凸部と第１粘着剤の間にファスニングテープをおむつ本体に仮止めするための第２粘着剤を塗布し、ファスニングテープ連続体を幅方向に切断して個々のファスニングテープを製造するものである。
【００２６】
このような構成を有する本発明のファスニングテープの製造方法により、次の使い捨ておむつの製造工程において使用される、凸部をフック材を内側にして基材シート上に折り曲げ、次いで、折り曲げた凸部を内側にしてさらにおむつ本体上に折り曲げた構成のファスニングテープを効率良く製造することができる。
【００２７】
また、本発明の使い捨ておむつの製造方法は、上記の方法で製造したファスニングテープを折り曲げた凸部がおむつ本体側に面すると共におむつ本体の内側に位置し、第１粘着剤を塗布した部分がおむつ本体から延出した状態で、おむつ本体の後身頃の側縁部においてトップシート上に配置し、少なくとも前記第２粘着剤によりファスニングテープをトップシート上に仮止めし、第１粘着剤を塗布した部分を内側にして折り曲げ、第１粘着剤によりファスニングテープをオムツ本体に接着固定して製造するものである。
【００２８】
このような構成を有する本発明の使い捨ておむつの製造方法により、ファスニングテープの凸部がフック材を内側にして基材シート上に折り曲げられ、次いで、折り曲げられた凸部を内側にしてさらにおむつ本体上に折り曲げられた状態で、ファスニングテープがおむつ本体上に仮止めされた使い捨ておむつが製造される。
【００２９】
このような構成を有する本発明の使い捨ておむつは、ファスニングテープを仮止めした場合にフック材がおむつ本体のトップシートに接触することがないため、ファスニングテープを引き出す際にトップシートを傷付けたり破いたりすることがなく、製品品質を低下させることがない。また、ファスニングテープは、おむつ本体の両側縁部近傍に仮止めされており、着用者の身体に隠れることがなく、簡単に引き出すことができるため、おむつを短時間で容易に装着させることが可能である。さらに、おむつを折り畳んで包装する場合にも、フック材の部分が折り畳まれてしまうことがないため、おむつの装着時にファスニングテープの機能が低下することがない。また、おむつを製造する場合にも、製造工程でファスニングテープが外れることがないため、生産性を向上させることが可能である。
【００３０】
本発明の場合、おむつ本体上に折返された前記ファスニングテープは、前記基材シートの前記フック材が折返された部分を除いた部分とおむつ本体の間、又は折返された前記フック材の背面部とおむつ本体の間、あるいは、両方を接合手段により仮止めすることが好ましく、このようにファスニングテープを仮止めすることにより、上記の効果を有する本発明の使い捨ておむつをより安定的に得ることができる。
【００３１】
さらに、前記ファスニングテープは、折返された前記フック材と前記基材シートとの間が、接合手段により仮止めされていることが好ましく、このようにファスニングテープを仮止めすることにより、上記の効果を有する本発明の使い捨ておむつをさらに安定的に得ることができる。
【発明を実施するための最良の形態】
【００３２】
以下、図面を参照して、本発明のファスニングテープ及び使い捨ておむつの製造方法をを詳細に説明するが、勿論、本発明はこれらによって何等制限されるものではない。
【００３３】
図１は、本発明のファスニングテープの製造方法の１例を示す平面図である。図１において、先ず、長尺の基材シート１の一方の面の長手方向中央領域に沿って長尺の面ファスナーのフック部材２を張合わせて積層シート連続体３を形成し、次いで、前記積層シート連続体３を、湾曲部が長尺のフック部材２の両側縁外側の基材シート１上に位置するように規則的に蛇行する１本の連続する波状曲線４に沿って切断し、波状の凸部５と凹部６を有するファスニングテープ連続体７を形成する〔図１（ａ）、図１（ｂ）〕。
【００３４】
次に、ファスニングテープ連続体７において、その凸部５を、フック部材２を内側にして基材シート１上に折り曲げ、さらに、折り曲げた凸部５と同じ面の長手方向側縁部に沿って第１粘着剤８を連続塗布すると共に、折り曲げた凸部５と第１粘着剤８との間に第２粘着剤９を連続塗布し、次いで、凹部６と側縁部の間を切断線１０に沿って切断する〔図１（ｃ）〕。
斯くして、フック材２を内側にして、凸部５が基材シート１上に折り曲げられ、おむつ本体への接着固定用の第１粘着剤８と、おむつ本体への仮止め用の第２粘着剤９とが塗布された構成のファスニングテープ１１が形成される〔図１（ｄ）〕。
【００３５】
なお、積層シート連続体３を形成する際に、粘着剤によりフック部材２を基材シート１に張合わせるだけでも良いが、フック部材２を張合わせた後に、さらにフック部材２の両側縁をヒートシール処理して基材シート１に張合わせることにより、フック部材２を基材シート１に強固に接着することができるため好ましい。
【００３６】
また、凸部５を折り曲げた際に、折り曲げた凸部５のフック部材２の背面部をエンボス加工処理、又はヒートシール処理、あるいは両処理の組み合せにより、フック部材２を基材シート１上に仮止めしても良く、このようにフック部材２を仮止めすることにより、おむつの製造工程においてフック部材２が基材シート１面から剥がれてトラブルが発生することが防止されるため好ましい。
【００３７】
さらに、積層シート連続体３を波状曲線４に沿って切断する前に、基材シート１のフック部材２を張合わせた面とは反対側の面に、フック部材２と係合可能なターゲットシートを張り合せても良く、このように、ターゲットシートを張合わせることにより、得られるファスニングテープ１１は、ファスニングテープ同士の着脱が可能なものとなる。
【００３８】
図２は、図１で得られたファスニングテープをおむつ本体に取付けて、使い捨ておむつを製造する方法を示す平面図である。図２において、ファスニングテープ１１は、その折り曲げた凸部５がおむつ本体２１側に面すると共におむつ本体２１の内側に位置し、さらに、第１粘着剤８を塗布した部分がおむつ本体２１から延出した状態で、おむつ本体２１の側縁部においてトップシート２２上に配置され、第２粘着剤９によりトップシート２２上に仮止めされる〔図２（ａ）〕。
次いで、ファスニングテープ１１は、おむつ本体２１から延出した第１粘着剤８を塗布した部分を、第１粘着剤８を内側にしておむつ本体２１側に折り曲げられ、第１粘着剤８によりオムツ本体２１に接着固定される〔図２（ｂ）〕。
【００３９】
なお、ファスニングテープ１１をトップシート２２上に配置する際に、上述のように、折り曲げた凸部５をエンボス加工処理、又はヒートシール処理、あるいは両処理の組み合せにより、フック部材２を基材シート１上に仮止めしておくことが好ましく、このようにフック部材２を仮止めすることにより、おむつの製造工程においてフック部材２が基材シート１面から剥がれてトラブルが発生することが防止される。
また、ファスニングテープは、おむつ本体のバックシート面に接着固定しても良く、あるいは、トップシートとバックシートの間において、トップシート面に接着固定しても良く、さらに、トップシート面に接着固定すると共にバックシート面にも接着しても良く、特に制限されるものではない。
【００４０】
図３は、図１とは異なる例を示す、本発明のファスニングテープの製造方法の１例を示す平面図である。図３において、長尺の基材シート１の一方の面の長手方向中央領域に沿って長尺の面ファスナーのフック部材２を張合わせて積層シート連続体３を形成すると共に、長尺のフック部材２の長手方向両側縁の外側に、フック部材２沿って第３粘着剤１２を連続塗布し、次いで、前記積層シート連続体３を、湾曲部が長尺のフック部材２の両側縁と第３粘着剤１２の間の基材シート１上に位置するように規則的に蛇行する１本の連続する波状曲線４に沿って切断し、波状の凸部５と凹部６を有するファスニングテープ連続体７を形成する〔図３（ａ）、図３（ｂ）〕。
【００４１】
次に、ファスニングテープ連続体７において、その凸部５を、フック部材２を内側にして基材シート１の第３粘着剤１２上に折り曲げ、第３粘着剤１２を介してフック部材２を基材シート１上に仮止めし、折り曲げた凸部５と同じ面の長手方向側縁部に沿って第１粘着剤８を連続塗布すると共に、折り曲げた凸部５と第１粘着剤８との間に第２粘着剤９を連続塗布し、さらに、折り曲げた凸部５のフック部材２の背面に第４粘着剤を塗布し（図示せず）、次いで、凹部６と側縁部の間を切断線１０に沿って切断する〔図３（ｃ）〕。
斯くして、フック材２を内側にして、凸部５が基材シート１上に折り曲げられ、第３粘着剤１２を介してフック部材２が基材シート１上に仮止めされると共に、フック部材２の背面の凸部５におむつ本体への仮止め用の第４粘着剤１３が塗布され、さらに、おむつ本体への接着固定用の第１粘着剤８と、おむつ本体への仮止め用の第２粘着剤９とが塗布された構成のファスニングテープ１１が形成される〔図３（ｄ）〕。
【００４２】
なお、本実施例では、第３粘着剤１２を積層シート連続体３に塗布した例を示したが、凸部５を折り曲げる前のファスニングテープ連続体７に塗布しても良く、特に制限されるものではない。
また、第４粘着剤１３は、必要に応じて塗布すれば良く、ファスニングテープのおむつ本体への仮止め状態が良好であれば省略することも可能である。
【００４３】
また、本実施例においても、積層シート連続体３を形成する際に、粘着剤によりフック部材２を基材シート１に張合わせるだけでも良いが、フック部材２を張合わせた後に、さらにフック部材２の両側縁をヒートシール処理して基材シート１に張合わせることにより、フック部材２を基材シート１に強固に接着することができるため好ましい。
【００４４】
さらに、積層シート連続体３を波状曲線４に沿って切断する前に、基材シート１のフック部材２を張合わせた面とは反対側の面に、フック部材２と係合可能なターゲットシートを張り合せても良く、このように、ターゲットシートを張合わせることにより、得られるファスニングテープ１１は、ファスニングテープ同士の着脱が可能なものとなる。
【００４５】
図４は、図３で得られたファスニングテープをおむつ本体に取付けて、使い捨ておむつを製造する方法を示す平面図である。図４において、ファスニングテープ１１は、その折り曲げた凸部５がおむつ本体２１側に面すると共におむつ本体２１の内側に位置し、さらに、第１粘着剤８を塗布した部分がおむつ本体２１から延出した状態で、おむつ本体２１の側縁部においてトップシート２２上に配置され、第２粘着剤９、折り曲げた凸部５の両側縁外側の凸部５が存在しない部分に塗布された第３粘着剤１２、及びフック部材の背面の凸部５塗布された第４粘着剤１３によりトップシート２２上に仮止めされる〔図４（ａ）〕。
次いで、ファスニングテープ１１は、おむつ本体２１から延出した第１粘着剤８を塗布した部分を、第１粘着剤８を内側にしておむつ本体２１に折り曲げられ、第１粘着剤８によりオムツ本体２１に接着固定される〔図４（ｂ）〕。
【００４６】
なお、ファスニングテープ１１をトップシート２２上に配置する際に、上述のように、折り曲げた凸部５のフック部材２を第３粘着剤１２により、基材シート１上に仮止めしておくことが好ましく、このようにフック部材２を仮止めすることにより、おむつの製造工程においてフック部材２が基材シート１面から剥がれてトラブルが発生することが防止される。
また、ファスニングテープは、おむつ本体のバックシート面に接着固定しても良く、あるいは、トップシートとバックシートの間において、トップシート面に接着固定しても良く、さらに、トップシート面に接着固定すると共にバックシート面にも接着しても良く、特に制限されるものではない。
【００４７】
図５は、本発明のファスニングテープを取付けた使い捨ておむつを展開した状態を示す一部切り欠き平面図である。図５において、使い捨ておむつ２１は、液透過性のトップシート２２と、液不透過性のバックシート２３と、これら両シートの間に配置された吸収体２４とから基本的に構成されており、前身頃２５と後身頃２６とを有し、後身頃２６の両側縁にファスニングテープ１１が２つずつ配置され、前身頃２５にはファスニングテープ１１を係合するためのターゲットゾーン２７が配置されている。
【００４８】
また、図５において、ファスニングテープ１１の一方は、おむつ未使用時におけるテープ１１が折返されておむつ本体２１のトップシート２２上に仮止めされた状態を示しており、もう一方は、おむつ使用時におけるテープ１１が伸ばされた状態を示している。
さらに、ファスニングテープ１１は、基材シート１と、基材シート１の一方の面の端部領域に設けられた面ファスナーのフック部材２と、基材シート１のフック部材２を設けた面とは反対側の面に設けられたフック部材と係合可能なターゲットシート２８とから形成されており、基材シート１のもう一方の端部領域がおむつ２１のサイドフラップ２９に接着固定されている。
【００４９】
図６は、図５に示した本発明の使いすておむつの使用状態の１例を示す斜視図である。図６において、使い捨ておむつ２１は、後身頃２６の両側縁に２個づつ配置されたファスニングテープ７が前身頃２５に配置されたターゲットゾーン２７に固定されて、パンツ型に組み立てられている。この場合、おむつの股下部側のファスニングテープ１１は前身頃２５のターゲットゾーン２７に直接固定されているが、おむつ端縁部側のファスニングテープ１１はターゲットゾーン２７に固定されると同時にその一部がおむつ内側のファスニングテープ１１に設けられたターゲットシート２８に固定されている。
【００５０】
このように、本発明の使い捨ておむつは、一方のファスニングテープの上にもう一方のファスニングテープを重ねて固定することができるため、いかなる体形の着用者に対しても、装着性、フィット性に優れ、特に脚周りからの漏れ防止効果に優れている。
なお、図６では、後身頃の両側縁において、同じ側の側縁部に配置されたファスニングテープ同士を固定した例を示したが、着用者の体形によっては、両側縁の相対する位置に配置したファスニングテープ同士が繋がる場合があり、その場合には、一方のファスニングテープのフック部材をもう一方のファスニングテープのターゲットシートに固定することも可能である。
【００５１】
以下、本発明において使用される材料について説明するが、本発明は、これらによって何等制限されるものではない。
【００５２】
本発明において、ファスニングテープは、帯状の基材シートと、基材シートの一方の端部領域に面ファスナーのフック部材を設け、さらに、必要に応じて、基材シートのフック部材を設けた面とは反対側の面にフック部材と係合可能な材料からなるターゲットシートを設けて形成されている。
基材シートとしては、各種の不織布シートあるいはフィルムを用いることができ、これらの材料を単独で、あるいは数種類の材料を積層して形成される。
【００５３】
また、フック部材としては、係合部が鉤状、きのこ状、錨状等の各種の形状を有する、通常の使い捨ておむつに使用されているものをそのまま使用することができる。
さらに、ターゲットシートとしては、フック部材と係合可能なループ材、不織布、織布等を使用することができ、これらの材料をそのまま用いても良く、他の材料、例えばフィルムと張り合せた積層構造のものを用いても良い。
また、ファスニングテープには、フック部材を備えた部分の外側に、摘持部を有していることが好ましい。
【００５４】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００５５】
本発明において、液不透過性のバックシートとしては、微孔を形成したポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを張合わせた積層構造のシートを用いることもできる。
【００５６】
本発明において、吸収体としては、通常の使い捨ておむつのような吸収性物品に使用されるものであればいずれも使用することができる。すなわち、綿状パルプと高吸収性ポリマー（ＳＡＰ）を併用したもの、さらに熱融着性繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型であっても良く、あるいは矩形であっても良い。
【００５７】
本発明において、サイドフラップは、ポリエチレン、ポリプロピレン、ポリエステル、その他の熱可塑性樹脂を原料とした合成繊維からなる不織布により形成することができ、上記トップシート単独で、又は、上記バックシートの両側縁から延出したカバーシート部分単独で形成しても良く、あるいは、上記トップシートとバックシートの吸収体の両側縁から外側へ延出する部分を積層して形成しても良い。さらに、バックシートの吸収体の両側縁から外側へ延出する部分に上記不織布を積層して形成することもできる。
【００５８】
本発明において、おむつ本体の前身頃に配置される、ファスニングテープを係合するためのターゲットゾーンとしては、フック部材と係合可能なループ材、不織布、織布等を使用することができ、これらの材料をそのまま用いても良く、他の材料、例えばフィルムと張り合せた積層構造のものを用いても良い。
なお、バックシートとしてフィルムからなるシートの外側にフック部材と係合可能な不織布からなるカバーシートを張合わせた積層構造のシートを用いた場合には、ターゲットゾーンを省略することもできる。
【産業上の利用可能性】
【００５９】
本発明の製造方法により、ファスニングテープは、その凸部がフック部材を内側にして基材シート上に折り曲げられた状態のものを効率良く製造することが可能であり、また、このようなファスニングテープをおむつ本体に取付けることにより、ファスニングテープの凸部がフック部材を内側にして基材シート上に折り曲げられ、次いで、折り曲げられた凸部を内側にしてさらにおむつ本体上に折り曲げられた状態で、ファスニングテープがおむつ本体上に仮止めされた使い捨ておむつが製造される。
【００６０】
このような構成を有する本発明の使い捨ておむつは、おむつを製造する際に、製造工程でファスニングテープが外れることがないため、生産性を向上させることが可能である。
また、ファスニングテープを仮止めした場合にフック部材がおむつ本体のトップシートに接触することがないため、ファスニングテープを引き出す際にトップシートを傷付けたり破いたりすることがなく、製品品質を低下させることがない。また、ファスニングテープは、おむつ本体の両側縁部近傍に仮止めされており、着用者の身体に隠れることがなく、簡単に引き出すことができるため、おむつを短時間で容易に装着させることが可能である。さらに、おむつを折り畳んで包装する場合にも、フック部材の部分が折り畳まれてしまうことがないため、おむつの装着時にファスニングテープの機能が低下することがないものであり、乳幼児用を始めとして成人失禁者用の使い捨ておむつとして有用である。
【図面の簡単な説明】
【００６１】
【図１】本発明のファスニングテープの製造方法の１例を示す平面図である。
【図２】図１で得られたファスニングテープをおむつ本体に取付ける方法を示す平面    図である。
【図３】図１とは異なる例を示しており、本発明のファスニングテープの製造方法の    １例を示す平面図である。
【図４】図３で得られたファスニングテープをおむつ本体に取付ける方法を示す平面    図である。
【図５】本発明のファスニングテープを取付けた使い捨ておむつを展開した状態を示    す一部切り欠き平面図である。
【図６】図５に示した本発明の使い捨ておむつの使用状態を示す斜視図である。
【符号の説明】
【００６２】
１：基材シート
２：フック部材
３：積層シート連続体
４：波状曲線
５：凸部
６：凹部
７：ファスニングテープ連続体
８：第１粘着剤
９：第２粘着剤
１０：切断線
１１：ファスニングテープ
１２：第３粘着剤
１３：第４粘着剤
２１：使い捨ておむつ
２２：トップシート
２３：バックシート
２４：吸収体
２５：前身頃
２６：後身頃
２７：ターゲットゾーン
２８：ターゲットシート
２９：サイドフラップ
【図１】
2005312707.tif 000003
【図２】
2005312707.tif 000004
【図３】
2005312707.tif 000005
【図４】
2005312707.tif 000006
【図５】
2005312707.tif 000007
【図６】
2005312707.tif 000008